(57)【要約】【課題】  腰壁上端での止水性能を確保しながら、品質の安定と工期の短縮が可能な腰壁・土間構造を提供する。【解決手段】  コンクリート製の土間１の屋外側の縁に沿って、上端が前記土間１の上面よりも上方に突出した腰壁２を有する。前記腰壁２がプレキャストコンクリート版からなり、前記土間１が現場打ちコンクリート製である。外壁パネル５の下枠材９と腰壁２の屋内側の側面との間に、弾性を有する乾式の止水材１４を圧縮状態に介在させる。【選択図】      図２
2011074571.tif 000002
【特許請求の範囲】
【請求項１】
コンクリート製の土間の屋外側の縁に沿って、上端が前記土間の上面よりも上方に突出した腰壁を有する腰壁・土間構造であって、
前記腰壁がプレキャストコンクリート版からなり、前記土間が現場打ちコンクリート製であり、外壁パネルのパネルフレームを構成する下枠材が、前記プレキャストコンクリート版の腰壁における前記土間よりも立ち上がった部分の屋内側の側面に沿って位置し、前記下枠材と前記腰壁の前記屋内側の側面との間に、乾式の止水材を圧縮状態に介在させた腰壁・土間構造。
【請求項２】
請求項１において、前記腰壁の屋内側の側面の近傍に形鋼製の柱を建て、この柱の両側に沿って前記外壁パネルである一対の外壁パネルを設置し、前記プレキャストコンクリート版からなる腰壁と前記柱との間に圧縮状態に介在する止水材を、前記柱の両側の外壁パネルと前記腰壁との間の前記止水材に続けて設けた腰壁・土間構造。
【発明の詳細な説明】
【技術分野】
【０００１】
この発明は、店舗建物、老人ホームや他の施設建物、集合住宅等の各種の建物、特に外壁パネル構造を有する建物等に適用され、コンクリート製の土間の屋外側の縁に沿って、上端が土間の上面よりも上方に突出した腰壁を有する腰壁・土間構造に関する。
【背景技術】
【０００２】
図２２のように、コンクリート製の土間５０の屋外側の縁に沿って腰壁５１を構成する場合、腰壁５１と土間５０の間に立ち上がり部５２を設けることで、室内側への水の浸入を防いでいる。外壁パネル５３は、モルタル等の封止層５５を介在させて、下枠材５４を立ち上がり部５２に一体化させている。
【先行技術文献】
【特許文献】
【０００３】
【特許文献１】特開２０００−００１９３７号公報
【発明の概要】
【発明が解決しようとする課題】
【０００４】
建物にこのような腰壁５１を構成する場合、複雑な形状の型枠を用いて土間と腰壁を一体に形成するか、土間５０と立ち上がり部５２の二回に分けてコンクリートを打設する必要がある。これらを二回のコンクリート打設に分けて施工する場合、型枠設置、コンクリート打設、コンクリートの養生、脱型を二度繰り返すことになり、工期がかかってしまう。また、一回で打設しようとした場合、立ち上がり部５２の形成のための複雑な形状の型枠を建物躯体に取付けるなどの工種が増えてしまう場合もある。また、土間５０と腰壁５１を一体形成する場合、腰壁５１にコンクリート硬化後のひび割れが起こる場合がある。
【０００５】
この発明の目的は、腰壁上端での止水性能を確保しながら、品質の安定と工期の短縮が可能な腰壁・土間構造を提供することである。
【課題を解決するための手段】
【０００６】
この発明の腰壁・土間構造は、コンクリート製の土間の屋外側の縁に沿って、上端が前記土間の上面よりも上方に突出した腰壁を有する腰壁・土間構造であって、前記腰壁がプレキャストコンクリート版からなり、前記土間が現場打ちコンクリート製であり、外壁パネルのパネルフレームを構成する下枠材が、前記プレキャストコンクリート版の腰壁における前記土間よりも立ち上がった部分の屋内側の側面に沿って位置し、前記下枠材と前記腰壁の前記屋内側の側面との間に、乾式の止水材を圧縮状態に介在させたことを特徴とする。
【０００７】
この構成によると、腰壁をプレキャストコンクリート版とし、このプレキャストコンクリート版と外壁パネルの下枠材との間に乾式の止水材を介在させたため、乾式止水材により止水性能が確保され、屋外側から屋内側への水の浸入が防止される。これにより、従来の止水構造である腰壁面と土間面との間にコンクリートで作成する立ち上がりが不要となり、現場打ちコンクリートの打設範囲は土間のみとなる。そのため、コンクリートの二度打ちによってかかる工期と、複雑な形状の型枠を建物躯体に取付けるなどの工種を削減することができる。プレキャストコンクリート版の採用により、品質が安定し、腰壁のコンクリート硬化後のひび割れ等の問題もなくなる。また、腰壁にプレキャストコンクリート版を用い、乾式の止水材を介在させる構成としたため、外壁パネルが土間と一体化された構成とならず、土間を、柱・梁、外壁パネルよりも先行して施工することが可能になる。これにより、工場で、柱や梁となる鉄骨材や外壁パネルを製造する納期が長くかかる場合においても、工事を進めることができ、無駄な待ち時間が不要となって、工期が短縮される。
【０００８】
この発明において、前記腰壁の屋内側の側面の近傍に形鋼製の柱を建て、この柱の両側に沿って前記外壁パネルである一対の外壁パネルを設置し、前記プレキャストコンクリート版からなる腰壁と前記柱との間に圧縮状態に介在する止水材を、前記柱の両側の外壁パネルと前記腰壁との間の前記止水材に続けて設けても良い。なお、ここで言う「止水材を続けて設け」とは、例えば両止水材を互いに接して並べて設けることを言う。
このように、腰壁と柱との間に介在する止水材を設けることにより、複数の外壁パネルおよびその間の柱にわたって、腰壁上端における止水性能を確保することができる。
【発明の効果】
【０００９】
この発明の腰壁・土間構造は、コンクリート製の土間の屋外側の縁に沿って、上端が前記土間の上面よりも上方に突出した腰壁を有する腰壁・土間構造であって、前記腰壁がプレキャストコンクリート版からなり、前記土間が現場打ちコンクリート製であり、外壁パネルのパネルフレームを構成する下枠材が、前記プレキャストコンクリート版の腰壁における前記土間よりも立ち上がった部分の屋内側の側面に沿って位置し、前記下枠材と前記腰壁の前記屋内側の側面との間に乾式の止水材を圧縮状態に介在させたため、腰壁上端での止水性能を確保しながら、品質の安定と工期の短縮を図ることができる
【図面の簡単な説明】
【００１０】
【図１】この発明の一実施形態にかかる腰壁・土間構造の斜視図である。
【図２】図１におけるII−II矢視断面図である。
【図３】図１におけるIII −III 矢視断面図である。
【図４】図１におけるIV−IV矢視断面図である。
【図５】図２〜図４におけるＶ−Ｖ矢視断面図である。
【図６】図２〜図４におけるVI−VI矢視断面図である。
【図７】（Ａ）は柱間にわたる腰壁・土間構造の平面図、（Ｂ）は同正面図である。
【図８】図７におけるＡ部での腰壁への止水材取り付け構造を示す斜視図である。
【図９】同止水材取り付け構造の正面図である。
【図１０】（Ａ），（Ｂ），（Ｃ）は図９におけるXa−Xa矢視断面図、Xb−Xb矢視断面図、Xc−Xc矢視断面図である。
【図１１】図７におけるＡ部での柱への腰壁の取り付け構造を示す分解斜視図である。
【図１２】（Ａ）はストレートパネルとなるプレキャストコンクリート版の一例の平面図、（Ｂ）は同正面図である。
【図１３】（Ａ）は出隅用のプレキャストコンクリート版の一例の平面図、（Ｂ）は同側面図、（Ｃ）は同正面図である。
【図１４】（Ａ）は出隅を含む柱間にわたる腰壁・土間構造の平面図、（Ｂ）は同正面図である。
【図１５】（Ａ）は外壁パネルの下枠材と腰壁との周辺を示す分解斜視図、（Ｂ）は同平面図である。
【図１６】（Ａ）は基礎天端への腰壁の設置構造を示す斜視図、（Ｂ）は同平面図である。
【図１７】（Ａ）は隣り合う腰壁の接合構造を示す分解平面図、（Ｂ）は同接合構造を示す平面図である。
【図１８】（Ａ）は腰壁の下端での止水材の取り付け構造を示す平面図、（Ｂ）は同正面図である。
【図１９】外壁パネルのパネルフレームの正面図である。
【図２０】図１９におけるＣ部の拡大図である。
【図２１】腰壁における目地処理の各例を示す説明図である。
【図２２】従来例の断面図である。
【発明を実施するための形態】
【００１１】
この発明の一実施形態を図１ないし図２１と共に説明する。この腰壁・土間構造は、図２に示すように、コンクリート製の土間１の屋外側の縁に沿って、上端が土間１の上面よりも上方に突出した腰壁２を有する構造であり、腰壁２は、図１のように複数枚のプレキャストコンクリート版２Ａ，２Ｂ…を、幅方向に並べて構成される。図２において、土間１は、基礎３の上にコンクリートを打設した現場打ちコンクリート製である。土間１は、図示の例では腰壁２の屋内側の側面に接する位置まで打設している。なお、土間１は、必ずしも腰壁２に接していなくても良い。腰壁２の表面には、アクリル樹脂エナメルペイント等で塗装が施される。
【００１２】
土間１の腰壁２に沿う部分の上方には外壁パネル５が設置され、外壁パネル５のパネルフレーム６を構成する下枠材９が、腰壁２における土間１よりも立ち上がった部分２ｃの屋内側の側面に沿って位置する。下枠材９は角パイプからなる。前記下枠材９と腰壁２の屋内側の側面との間に、定型止水材とも呼ばれる乾式の止水材１４を圧縮状態に介在させる。
【００１３】
外壁パネル５は、パネルフレーム６の屋外側面に外装面材７を張り付けて構成される。外壁パネル５のパネルフレーム６は、図１９に示すように、上縁の上枠材８，下縁の下枠材９、両側縁の縦枠材１０、上下左右の中間に位置する縦桟１１、横桟１２などを枠組して構成されている。各枠材８，９，１０，および各桟１１，１２は、軽量形鋼や形鋼等の鋼材からなる。下枠材９は、上記のように角パイプが用いられ、上枠材８、側枠材１０、縦横の桟１１，１２等には山形鋼等が用いられている。横枠材１０には外装面材７（図２）を取付ける面材留付用下地４２が設けられ、下枠材９には土台水切下地受４１が設けられている。これら面材留付用下地４２および土台水切下地受４１は、亜鉛メッキ鋼板の折り曲げ品等からなる。また、パネルフレーム６の隅部には取付片４３が設けられている。
【００１４】
図１のように、腰壁２の屋内側の側面の近傍には、腰壁２の幅方向に互いに離れて複数本の柱４（図１には１本のみ図示）を建て、隣り合う柱４間に外壁パネル５を配置する。これにより、各柱４の両側に沿って外壁パネル５が設置される。柱４は、軽量形鋼等の形鋼製であり、図示の例では角パイプが用いられている。外壁パネル５の建物躯体への取付けは、例えば、両側の縦枠材１０を柱４にボルト等の固着具（図示せず）で取付けることにより行われ、あるいは隣合う柱４間に設けた土台または梁等の横架材にパネルフレーム６が取付けられる。この例では、隣合う柱４間に、図２のように断面Ｌ字形の形鋼製の横架材１３を設け、この横架材１３に外壁パネル５の下枠材９を取付けている。横架材１３は土台となる。図１において、外壁パネル５の縦枠材１０は、上記のように山形鋼からなり、この山形鋼からなる縦枠材１０は、一方のフランジ１０ａがパネル前面で外周側へ張り出すように外向きに設けられる。この縦枠材１０の外周に張り出すフランジ１０ａは、柱４の前方に位置させる。
【００１５】
図２は、図１におけるII−II矢視断面図、すなわち柱４がない箇所の断面を示す。上記のように、外壁パネル５の下枠材９と、腰壁２の立ち上り部分２ｃの間には、乾式の止水材１４を圧縮状態に介在させる。この止水材１４は、断面が矩形で横方向に延びる棒状ないし紐状の部材である。止水材１４としては、弾性を有する材質、例えば樹脂製またはゴム製等の発泡体、特に、水膨張性発泡体が好適である。止水材１４は、例えば腰壁２を構成するプレキャストコンクリート版に両面粘着テープや接着剤で貼り付けておき、外壁パネル５の建込み時にその下枠材９を押し付けて圧縮状態とする。また、設置された外壁パネル５にプレキャストコンクリート版を設置するときに、下枠材９に押し付けて圧縮状態としても良い。
【００１６】
腰壁２を構成するプレキャストコンクリート版２Ａ，２Ｂ…は、下端が基礎３の天端上に配置され、プレキャストコンクリート版２Ａ，２Ｂ…の下端と基礎３の天端との間にも乾式の止水材１９を介在させる。この止水材１９の介在により、基礎天端面での不陸を吸収できて、プレキャストコンクリート版２Ａ，２Ｂ…を水平に設置することが可能である。この止水材１９には、上端の止水材１４と同様な材質のものが使用される。
【００１７】
腰壁２を構成する各プレキャストコンクリート版２Ａ，２Ｂ…は、互いの接合部において、一対の固定金具１７により挟み込み状態に基礎３の天端に固定されている。各プレキャストコンクリート版２Ａ，２Ｂ…の上端は、互いの接合部において、断面Ｚ字状の固定金具１５により接合されている。固定金具１５は、プレキャストコンクリート版２Ａ，２Ｂ…の前面および上端面に接して配置されて、前面にビス等の固着具１６により固定される。固定金具１５の屋内側端は上方に立ち上がり、外壁パネル５の設置後に外壁パネル５の下枠材９にビス等の固着具で固定される。
【００１８】
外壁パネル５の下枠材９の前面には、縦断面がＺ字状の土台水切２６を配置してビス等の固着具２７で固定し、この土台水切２６により腰壁２の前面の上縁部を覆う。土台水切２６の上部は、下枠材９上の土台水切下地受４１に取付けられた土台水切下地２８によって覆う。土台水切下地２８は、土台水切下地受４１に取付けられて外装面材７の下端を受ける外装面材取付金具３９と土台水切下地受４１との間に介在させる。なお、外装面材７の裏面には、図示しない防水シートが設けられているが、防水シートの下端は、土台水切下地２８と外装面材取付金具３９との間に挟み込まれ、防水シート表面に伝って流れる水を、土台水切２６へ導くようにしている。外装面材７の室内側へ入った水は、土台水切下地２８および土台水切２６の表面を通って排水される。土台水切２６の材質としては、例えばアルミニウム合金メッキ鋼板が好適である。このように、土台水切２６で腰壁２の上端を覆うことにより、腰壁２の上端から屋内側への雨水の浸入を防止することができる。
【００１９】
腰壁２を構成するプレキャストコンクリート版としては、図１２等に示す各種幅寸法のストレートパネルとしたプレキャストコンクリート版２Ａ，２Ｂや、図１３に示す出隅用のプレキャストコンクリート版２Ｃ、および入隅用のプレキャストコンクリート版（図示せず）等を用意する。これらの各プレキャストコンクリート版２Ａ〜２Ｄは、相じゃくり接合用の継手部として、その一側端に前面側が凹陥した段部２ａを有し、他側端に背面側が凹陥した段部２ｂを有している。これらのプレキャストコンクリート版２Ａ〜２Ｄを、例えば図７または図１４等に示すように組み合わせることにより、各種寸法，平面形状の腰壁２を構成することが可能である。図７は、２つの柱４，４間に２種のプレキャストコンクリート版２Ａ，２Ｂを組み合わせて連続する腰壁２を構成した例を示す。図１４は、２つの柱４，４間に３種のプレキャストコンクリート版２Ａ，２Ｂ，２Ｃを組み合わせて連続する腰壁２を構成した例を示す。
【００２０】
図１５（Ｂ）のように、隣り合うプレキャストコンクリート版２Ａ，２Ｂは、前記段部２ａ，２ｂで相じゃくり接合する。この場合、図１７のように、背面側が凹陥した段部２ｂに別の乾式の止水材１４Ａを配置することにより、両段部２ａ，２ｂが突き合わされた状態で、両段部２ａ，２ｂの間に前記止水材１４Ａを圧縮状態に介在させる。他のプレキャストコンクリート版２Ｃ等を用いる箇所においても、上記と同様に乾式の止水材１４Ａを配置する。
【００２１】
図１６に示すように、腰壁２の各プレキャストコンクリート版２Ａ，２Ｂ，…の接合部の下端は、上記のように固定金具１７を用いて、基礎３の天端に固定する。具体的には、プレキャストコンクリート版２Ａ，２Ｂ，…の接合部の前後両側面に断面Ｌ字形の固定金具１７を配置し、固定金具１７の立片１７ａを腰壁２の前後両側面に、固定金具１７の横片１７ｂを基礎３の天端に当接させた状態で、各固定金具１７を基礎３にビス１８で固定する。
【００２２】
図１５に示すように、腰壁２の各プレキャストコンクリート版２Ａ，２Ｂ，…の接合部の上端は、上記のように固定金具１５で接合する。具体的には、固定金具１５の上方に延びる上片１５ａを下枠材９の前面に、上片１５ａから前方に延びる横片１５ｂをプレキャストコンクリート版２Ａ，２Ｂ，…の上端に、横片１５ｂから下方に延びる下片１５ｃプレキャストコンクリート版２Ａ，２Ｂ，…の前面にそれぞれに当接させた状態で、固定金具１５を下枠材９およびプレキャストコンクリート版２Ａ，２Ｂ，…にビス１６で固定する。
【００２３】
図１におけるIII − III矢視断面図、すなわち柱４のある箇所の断面図を図３に示す。柱４の設置位置では、腰壁２の上端部における屋内側の側面とこれに対向する柱４の前面との間に、図８，図９および図１１に斜視図，正面図および分解斜視図で示す乾式のブロック状の止水材２０，２１，２２を介在させる。これらの止水材２０，２１，２２と、図２の腰壁２と下枠材９間の止水材１４とで、互いに押し付け状態に接して続く連続した止水材配列を構成する。
【００２４】
柱４の設置位置のうちの一つの止水材２０は、柱４の前面の幅方向中央に位置し、その左右両隣に別の止水材２１が位置する。これら２つの止水材２１の上面に他の止水材２２が位置する。中央の止水材２０はその上端を腰壁２の上端に揃えて配置し、その左右の止水材２１はその上端が腰壁２の上端より若干低くなるように配置する。これら２つの止水材２１の上面に位置する止水材２２は、その上端が腰壁２の上端よりも若干高くなるように配置する。また、止水材２０，２１の屋内側に向く厚み寸法は、止水材２２の屋内側に向く厚み寸法よりも厚く設定している。止水材２２は、図４のように固定金具２３を用いて腰壁２に固定する。具体的には、図９におけるXb−Xb矢視断面図を示す図１０（Ｂ）のように、固定金具２３の断面コ字状部２３ａを腰壁２の上端に嵌合させて、そのコ字状部２３ａの腰壁２前面に接する立片２３ａａで腰壁２にビス止めすると共に、そのコ字状部２３ａの他方の立片２３ａｂの先端から止水材２１の上面に沿って屋内側に延びる横片２３ｂの上に止水材２２を載置する。この場合の止水材２０，２１としては疎水性ウレタン発泡体が好適であり、止水材２２としては水膨張性発泡体が好適である。なお、図４は、図１におけるIV−IV矢視断面図を示す。
【００２５】
図１のように、外壁パネル５の縦枠材１０は山形鋼からなり、上記のように、そのフランジ部１０ａが柱４の前面に沿うように配置される。柱４の前面に配置する上記した３つの止水材２０，２１，２２のうち、中央の止水材２０は、図６や図９におけるXc−Xc矢視断面図を示す図１０（Ｃ）のように、柱４の前面と腰壁２の屋内側の側面との間に圧縮状態で介在する。その左右の止水材２１も、図６や図１０（Ｂ）のように柱４の前面と腰壁２の屋内側の側面との間に圧縮状態で介在する。これに対して、固定金具２３を介して２つの止水材２１の上面に位置する止水材２２は、図４や図１０（Ｂ）のように前記縦枠材１０の下端と固定金具２３との間に圧縮状態で介在する。これにより、柱４とその前面に配置される腰壁２との間での止水性能を確保することができる。
【００２６】
さらに、図１、図３および図４に示すように、山形鋼からなる縦枠材１０と柱４との間には、弾性を有する乾式の止水材２４と圧縮下地２５を介在させる。止水材２４は、柱４の前面と縦枠材１０の背面との間に、縦枠材１０の長手方向全長にわたって配置する。この場合の止水材２４としては、疎水性ウレタン発泡体が好適である。これにより、柱４を挟んで隣り合う外壁パネル５の縦枠材１０の間に、図１のように柱４の前面と左右の縦枠材１０と前記止水材２４とで囲まれる縦長の排水溝が構成され、外壁パネル５と柱４との間での止水性能を確保することができる。前記圧縮下地２５は断面Ｌ字状の部材であって、図５のように柱４の角部に対向する縦枠材１０の背面の入隅部の長手方向の下端位置に接合する。この場合の圧縮下地２５としては、例えばＥＰＤＭ（エチレン・プロピレン・ターポリマー）が好適である。これにより、外壁パネル５の縦枠材１０と柱４の間の止水材２２の圧縮を図ることができる。図２０では、図１９におけるパネルフレーム６のＣ部を拡大して、縦枠材１０の背面に配置した前記止水材２４と圧縮下地２５を示している。
【００２７】
図２１には、腰壁２の隣り合うプレキャストコンクリート版２Ａ，２Ｂ，…の相じゃくり接合部にできる目地２９の各処理例を示している。図２１（Ａ）は、目地２９に湿式シーリング材３０を充填した処理例を示す。図２１（Ｂ）は、片方のプレキャストコンクリート版２Ｂの段部２ａの屋外側を向く凹陥面と、これに対向するもう片方プレキャストコンクリート版２Ａの段部２ｂの屋内側を向く凹陥面との間に、定型の止水材である乾式の止水材３１を介在させた処理例を示す。図２１（Ｃ）は、片方のプレキャストコンクリート版２Ｂの段部２ａの端面と、これに対向するもう片方のプレキャストコンクリート版２Ａの段部２ｂの凹陥面との間に、乾式の止水材３１を介在させた処理例を示す。乾式の止水材３１を用いた処理の場合は、乾式の目地２９とすることができる。
【００２８】
上記構成の腰壁・土間構造によると、腰壁２をプレキャストコンクリート版２Ａ，２Ｂ，…とし、このプレキャストコンクリート版２Ａ，２Ｂ，…と外壁パネル５の下枠材９との間に乾式の止水材１４を介在させたため、乾式止水材１４により止水性能が確保され、屋外側から屋内側への水の浸入が防止される。これにより、従来の止水構造である腰壁面と止め面との間にコンクリートで作成する立ち上がりが不要となり、現場打ちコンクリートの打設範囲は土間１のみとなる。そのため、コンクリートの二度打ちによってかかる工期と、複雑な形状の型枠を建物躯体に取付けるために必要な工種を削減することができる。プレキャストコンクリート版２Ａ，２Ｂ，…の採用により、品質が安定し、腰壁２のコンクリート硬化後のひび割れ等の問題もなくなる。また、腰壁２にプレキャストコンクリート版２Ａ，２Ｂ，…を用い、乾式の止水材１４を介在させる構成としたため、外壁パネル５が土間１と一体化された構成とならず、土間１を、柱４や、梁（図示せず）、外壁パネル５よりも先行して施工することが可能になる。これにより、工場で、柱４や梁となる鉄骨材や外壁パネル５を製造する納期が長くかかる場合においても、工事を進めることができ、無駄な待ち時間が不要となって、工期が短縮される。なお、プレキャストコンクリート版２Ａ，２Ｂ，…の接合部には、シーリングによる湿式の目地と乾式の止水材による目地とのいずれでも可能であり、プレキャストコンクリート版２Ａ，２Ｂ，…の接合部の止水性も容易に確保できる。
土間１の先行した施工を行い、土間コンクリートを腰壁２のプレキャストコンクリート版２Ａ，２Ｂ，…に接するまで打たない場合は、建物撤去時に、プレキャストコンクリート版２Ａ，２Ｂ，…を取り外し、別の建物に再利用することができる。
【符号の説明】
【００２９】
１…土間
２…腰壁
２Ａ，２Ｂ…プレキャストコンクリート版
４…柱
５…外壁パネル
６…パネルフレーム
９…下枠材
１０…縦枠材
１４…乾式の止水材
【図１】
2011074571.tif 000003
【図２】
2011074571.tif 000004
【図３】
2011074571.tif 000005
【図４】
2011074571.tif 000006
【図５】
2011074571.tif 000007
【図６】
2011074571.tif 000008
【図７】
2011074571.tif 000009
【図８】
2011074571.tif 000010
【図９】
2011074571.tif 000011
【図１０】
2011074571.tif 000012
【図１１】
2011074571.tif 000013
【図１２】
2011074571.tif 000014
【図１３】
2011074571.tif 000015
【図１４】
2011074571.tif 000016
【図１５】
2011074571.tif 000017
【図１６】
2011074571.tif 000018
【図１７】
2011074571.tif 000019
【図１８】
2011074571.tif 000020
【図１９】
2011074571.tif 000021
【図２０】
2011074571.tif 000022
【図２１】
2011074571.tif 000023
【図２２】
2011074571.tif 000024